(57)【要約】【課題】小型、軽量で、集塵袋の集塵性能を高めることができる電気掃除機を提供する。【解決手段】電源コード（図示せず）巻き取り用で突起リブ３２を有するコードリール２９の回転を制止及び開放するブレーキレバー３４を操作する操作部４３と、操作部４３の近傍に軸支され、電源コード引き出し時に回転するコードリール２９に連動して回動する回動レバー３５と、回動レバー３５に連動する摺動レバー３７の摺動動作に連動して集塵袋（図示せず）に振動を加える振動板２６を有し、回動レバー３５は、突起リブ３２に当接する当接部３６と、摺動レバー３７に係合する摺動操作部３８と、操作部４３で操作されると共に当接部３６と突起リブ３２との当接を解除する当接解除部３９を備えたもので、電源コード引き出し時に集塵袋の内壁に付着した塵埃を確実に除去でき、電源コード巻取り時に当接部３６が突起リブ３２に当接しないようにする構成が大幅に簡素化できる。【選択図】図５
2008284118.tif 000002
【特許請求の範囲】
【請求項１】
吸引風を発する電動送風機と、電源コードを巻き取り収納するコードリールと、塵埃を捕集する集塵袋と、前記集塵袋に付着した塵埃を除塵する除塵手段と、前記コードリールの回転を制止及び開放するブレーキレバーと、前記ブレーキレバーを操作する操作部とを備え、前記除塵手段は、前記操作部の近傍に回動自在に軸支されると共に少なくとも前記電源コードの引き出し時に回転する前記コードリールに連動して回動する回動レバーと、前記回動レバーの回動動作に連動して摺動する摺動レバーと、前記摺動レバーの摺動動作に連動して前記集塵袋に振動を加える振動板とを有し、前記回動レバーは、前記コードリールに設けた突起リブに当接する当接部と、前記摺動レバーの一端に係合する摺動操作部と、前記操作部によって操作されると共に前記当接部と前記突起リブとの当接を解除する当接解除部を備えたことを特徴とする電気掃除機。
【請求項２】
当接部がコードリールに設けた突起リブに当接する方向に、回動レバーを回動付勢する弾性体を設けた請求項１に記載の電気掃除機。
【請求項３】
当接部に、突起リブとの接触による磨耗を防止する磨耗防止体を設けた請求項１又は２に記載の電気掃除機。
【請求項４】
磨耗防止体の先端を、当接部の突起リブとの当接面より少し内側に位置させた請求項３に記載の電気掃除機。
【請求項５】
磨耗防止体を、当接部に回転自在に設けられた回転体で構成したことを特徴とする請求項３又は４に記載の電気掃除機。
【発明の詳細な説明】
【技術分野】
【０００１】
本発明は、集塵袋の内壁に塵埃が付着することによる吸引力の低下を防止できる電気掃除機に関するものである。
【背景技術】
【０００２】
従来のこの種の電気掃除機として、前部に塵埃を集塵する集塵袋を収納した集塵室を配し、後部に吸引風を発する電動送風機を配した本体と、前記集塵袋の内壁に付着した塵埃を叩き落す除塵手段と、前記電動送風機に電力を供給する電源コードを巻き取り収納すると共に周壁に複数の突起リブを有するコードリールと、コードリールの回転を制止及び開放するブレーキレバーと、本体の上部に設けられ且つブレーキレバーを操作する操作部と、本体の底部に回動自在に設けられ、一端が、集塵袋に振動を加える振動板の下端に連結され、他端に設けた当接部がコードリールの回転時に突起リブ上を摺動して揺動する回動レバーと、操作部によって操作されると共に、回動レバーに連結されたリリースレバーとを備え、操作部でコードリールの回転制止を開放する方向にブレーキレバーを操作したときに、同時にリリースレバーを操作して、回動レバーの当接部を突起リブから離反させるようにしたものがある。
【０００３】
以上のように構成された従来の電気掃除機の動作は、以下の通りである。
【０００４】
使用者が、電気掃除機を使用開始するに当たり、電源コードを掃除機本体より引き出そうとすると、それに伴いコードリールが回転し、それに設けた突起リブ上を摺動する回動レバーの当接部が揺動し、それにより回動レバーの一端に連結された振動板が回動して集塵袋に振動を加えて、集塵袋の内壁に付着した塵埃を落とすようになっている。
【０００５】
掃除作業を終えた後、電源コードを本体内に収納するために、使用者が操作部を操作してブレーキレバーを開放すると、コードリールに内蔵されたコイルばねの力で、コードリールが電源コードを巻き上げる方向に回転する。このとき、同時にリリースレバーが操作部により操作されて、回動レバーの当接部が、突起リブから離反するので、電源コードを巻き上げるためにコードリールが逆方向に高速で回転しても、回動レバーが破損したり、回動レバーの当接部が連続的に突起リブを乗り上げることによる異音も発生することが無い（例えば、特許文献１参照）。
【特許文献１】特開２００６―１４１５９７号公報
【発明の開示】
【発明が解決しようとする課題】
【０００６】
しかしながら、上記従来の電気掃除機の構成では、回動レバーが掃除機本体の底部に軸支されているため、電源コードの巻き取り時に回動レバーとコードリールの突起リブとの当接を回避させるための構成を、掃除機本体の底部から操作部に至る広い範囲に渡って、構成しなければならず、構成が複雑になると共に、掃除機本体が大型化してしまうという課題があった。
【０００７】
本発明は、上記従来の課題を解決するもので、集塵袋の内壁に付着した塵埃を、確実に、かつ効果的に除塵して、吸引風の低下を減少させ集塵性能を向上させることができると共に、小型、軽量の電気掃除機を提供することを目的とする。
【課題を解決するための手段】
【０００８】
前記従来の課題を解決するために、本発明の電気掃除機は、吸引風を発する電動送風機と、電源コードを巻き取り収納するコードリールと、塵埃を捕集する集塵袋と、前記集塵袋に付着した塵埃を除塵する除塵手段と、前記コードリールの回転を制止及び開放するブレーキレバーと、前記ブレーキレバーを操作する操作部とを備え、前記除塵手段は、前記操作部の近傍に回動自在に軸支されると共に少なくとも前記電源コードの引き出し時に回転する前記コードリールに連動して回動する回動レバーと、前記回動レバーの回動動作に連動して摺動する摺動レバーと、前記摺動レバーの摺動動作に連動して前記集塵袋に振動を加える振動板とを有し、前記回動レバーは、前記コードリールに設けた突起リブに当接する当接部と、前記摺動レバーの一端に係合する摺動操作部と、前記操作部によって操作されると共に前記当接部と前記突起リブとの当接を解除する当接解除部を備えたもので、電源コードの引き出し動作に連動して、振動板で集塵袋に振動を加えることにより、集塵袋の内壁に付着した塵埃を確実に除去して、集塵袋の集塵性能を向上させることができる。また、摺動レバーを介して振動板を駆動する回動レバーが操作部の近傍に軸支され、しかも当接部と突起リブとの当接を解除する当接解除部を操作部で直接操作できるので、電源コード巻き取り時に、回動レバーがコードリールの回転に連動しないようにする構成が、従来のような長いリリースレバーなどの部品を介在させること無く、大幅に簡素化され、掃除機本体の小型化、軽量化を図ることができる。
【発明の効果】
【０００９】
本発明の電気掃除機は、集塵袋の内壁に付着した塵埃を効率的に除塵でき、吸引風の低下を減少させて集塵性能を向上させることができると共に、小型化及び軽量化した電気掃除機を提供することができる。
【発明を実施するための最良の形態】
【００１０】
第１の発明は、吸引風を発する電動送風機と、電源コードを巻き取り収納するコードリールと、塵埃を捕集する集塵袋と、前記集塵袋に付着した塵埃を除塵する除塵手段と、前記コードリールの回転を制止及び開放するブレーキレバーと、前記ブレーキレバーを操作する操作部とを備え、前記除塵手段は、前記操作部の近傍に回動自在に軸支されると共に少なくとも前記電源コードの引き出し時に回転する前記コードリールに連動して回動する回動レバーと、前記回動レバーの回動動作に連動して摺動する摺動レバーと、前記摺動レバーの摺動動作に連動して前記集塵袋に振動を加える振動板とを有し、前記回動レバーは、前記コードリールに設けた突起リブに当接する当接部と、前記摺動レバーの一端に係合する摺動操作部と、前記操作部によって操作されると共に前記当接部と前記突起リブとの当接を解除する当接解除部を備えたもので、電源コードの引き出し動作に連動して、振動板で集塵袋に振動を加えることにより、集塵袋の内壁に付着した塵埃を確実に除去して、集塵袋の集塵性能を向上させることができる。また、摺動レバーを介して振動板を駆動する回動レバーが操作部の近傍に軸支され、しかも当接部と突起リブとの当接を解除する当接解除部を操作部で直接操作できるので、電源コード巻き取り時に、回動レバーがコードリールの回転に連動しないようにする構成が、従来のような長いリリースレバーなどの部品を介在させること無く、大幅に簡素化され、掃除機本体の小型化、軽量化を図ることができる。
【００１１】
第２の発明は、特に、第１の発明の当接部がコードリールに設けた突起リブに当接する方向に、回動レバーを回動付勢する弾性体を設けたもので、回動レバーの回動動作をコードリールの回転動作に確実に連動させて、集塵袋の内壁に付着した塵埃を確実に除塵することができる。
【００１２】
第３の発明は、特に、第１又は第２の発明の当接部に、突起リブとの接触による磨耗を防止する磨耗防止体を設けたもので、当接部の急激な磨耗を防止して、長期に渡って優れた除塵性能を維持することができる。
【００１３】
第４の発明は、特に、第３の発明の磨耗防止体の先端を、当接部の突起リブとの当接面より少し内側に位置させたもので、初期段階においては、回動レバーの当接部の突起リブとの当接面側が磨耗し、磨耗防止体の先端が露出すると、それ以降は、突起リブ側が磨耗していくので、磨耗期間が延長され、長期に渡って優れた除塵性能を維持することができる。
【００１４】
第５の発明は、特に、第３又は第４の発明の磨耗防止体を、当接部に回転自在に設けられた回転体で構成したもので、磨耗防止体と突起リブとの間の摩擦抵抗が大幅に軽減され、長期に渡って優れた除塵性能を維持することができる。
【００１５】
以下、本発明の実施の形態について、図面を参照しながら説明する。なお、この実施の形態によりこの発明が限定されるものではない。
【００１６】
（実施の形態１）
本発明の第１の実施の形態について、図１〜図１２を用いて説明する。
【００１７】
掃除機本体１は、手元ハンドル２とホース継ぎ手３付きのホース４とを介して延長管５を連結し、延長管５に取り付けられ塵埃を吸引する吸込具６に連通している。また、掃除機本体１は、前方底面にキャスター７を、後方側面に一対のローラー８を回動自在に備えている。
【００１８】
この掃除機本体１は、下ケース９と上ケース１０とで外郭を構成し、上ケース１０には持ち運び時に握る把手部１１を備えている。この掃除機本体１の後方側に電動送風機１２が配設されており、電動送風機１２は、吸引風を発するもので、前方を防振ゴム前１３で支持し、後方を防振ゴム後ろ１４を介してモーターケース１５とモーターカバー１６により支持されており、下ケース９に装着し固定するようになっている。
【００１９】
掃除機本体１の前方側には、集塵室１７が形成され、集塵室１７上方には、この集塵室１７を開閉自在に閉鎖する集塵蓋１８が設けられており、この集塵室１７内には塵埃を捕集する集塵袋１９が着脱自在に具備されている。
【００２０】
また、集塵蓋１８には隙間用ノズル等のアタッチメントを収納する収納部２０を設け、収納部２０を覆う格納蓋２１が開閉自在に軸支されている。
【００２１】
電動送風機１２を収納する電動送風機室２２と集塵室１７を仕切る仕切壁２３は、下ケース９に設けられており、この仕切壁２３の上方にはパッキン２４が設けられており、パッキン２４にて集塵室１７内の空気タイトを行い気密性を確保している。
【００２２】
電動送風機１２前方の仕切壁２３には連通口２５が設けられており、電動送風機１２と、集塵室１７とが連通するようになっている。
【００２３】
２７は、集塵袋１９に振動を加えて、集塵袋１９の内壁に付着した塵埃を叩き落す除塵手段で、後述の回動レバー３５と、回動レバー３５の回動動作に連動して摺動する摺動レバー３７と、仕切壁２３と集塵袋１９との間に配されると共に摺動レバー３７の摺動動作に連動して前記集塵袋１９に振動を加える振動板２６から構成されている。
【００２４】
電動送風機室２２側には、電動送風機１２に電力を供給する電源コード２８を巻き付けて収納するコードリール２９を備えたコード巻取り装置３０が配設されており、電源コード２８の引き出し時、もしくは、収納動作させることより、前記コードリール２９も回転する構成となっている。
【００２５】
コードリール２９には、略円周状のリブ体３１が形成されており、このリブ体３１は、コードリール２９に形成された複数の突起リブ３２のそれぞれの両端とつながった形状で、コードリール２９の外周の内側に配設されている。
【００２６】
コード巻取り装置３０のコードリール２９は、隔壁体３３に回転自在に軸支されており、この隔壁体３３には、コードリール２９の回転を制止および解放させるブレーキレバー３４が回動自在に軸支されている。
【００２７】
ブレーキレバー３４と隔壁体３３により隔てられた反対側のコードリール２９近傍に、ブレーキレバー３４とほぼ同じ高さで回動軸を形成した回動レバー３５を回動自在に軸支している。回動レバー３５には、コードリール２９に形成した突起リブ３２と当接する当接部３６を略円弧状に形成して設け、振動板２６に振動を加える摺動レバー３７を摺動させる摺動操作部３８と、突起リブ３２との当接を解除する当接解除部３９を形成している。当接部３６と突起リブ３２は隔壁体３３に開口した窓部４０を通して当接する構成としている。
【００２８】
当接部３６には、突起リブ３２との接触による磨耗を防止する磨耗防止体４１をビス等の金属材で設けている。
【００２９】
さらに、当接部３６がリブ体３１又は突起リブ３２に当接する方向へ回動レバー３５を回動付勢する弾性体として当接バネ４２を、摺動操作部３８近傍に設けている。
【００３０】
ブレーキレバー３４の上方には、電源コード２８を巻き取る時に操作する操作部４３を備え、操作部４３には、ブレーキレバー３４と連動し、コードリール２９の回転制止を解除するブレーキ解除部４４を形成し、操作部バネ４５により掃除機本体１上方に付勢して設けられている。さらに、操作部４３外周の一部には、当接解除部３９を直接操作する解除リブ４６を形成している。以上のように、本実施の形態では、回動レバー３５を、操作部４３の近傍に配置している。
【００３１】
また、解除リブ４６と当接解除部３９との距離は、ブレーキ解除部４４とブレーキレバー３４との距離より近い位置で構成している。
【００３２】
摺動レバー３７は、一端に回動レバー３５に設けた摺動操作部３８に係合する係合部４７を、摺動操作部３８を動作方向の前後で挟む形状で形成し、他端に振動板２６に振動を加える振動伝達部４８を形成している。
【００３３】
仕切壁２３には摺動レバー３７を通す開口部４９を設け、摺動レバー３７の振動伝達部４８を覆い、且つ振動伝達部４８と圧入固定する圧入固定部５０を形成した覆部材５１を前記開口部４９に保持固定している。
【００３４】
覆部材５１は、外周にフランジ状の凸部５２を形成すると共に、圧入固定部５０の肉厚を周辺の肉厚より厚くして、ゴム等の軟質材で形成している。
【００３５】
隔壁体３３には、摺動レバー３７の動作時の傾きを防止する傾き防止リブ５３を形成し、窓部４０、回動レバー３５及び摺動レバー３７を覆うカバー体５４を保持固定している。
【００３６】
カバー体５４は、隔壁体３３と同様に回動レバー３５を軸支する軸受け部を形成し、回動レバー３５を付勢している当接バネ４２を保持している。また、覆部材５１の外れ防止の為、覆部材５１を仕切壁２３との間で挟持する挟持部５５を形成している。さらに、カバー体５４は上ケース１０に形成した保持リブ５６で囲まれている。
【００３７】
一方、集塵室１７内の仕切壁２３に設けた連通口２５の前に振動板２６を軸支した保持枠５７を設け、下ケース９に設けた挿入部５８に着脱自在にセットされている。振動板２６の回動軸５９は保持枠５７の略中央高さ位置に軸支している。
【００３８】
振動板２６には、摺動レバー３７からの振動を受ける振動板動作部６０を設け、振動板動作部６０の略鉛直線上に振動板２６を仕切壁２３側に付勢する振動板バネ６１を保持枠５７との間に備えている。
【００３９】
回動レバー３５に形成した当接部３６と、摺動レバー３７と、振動板２６に形成した振動板動作部６０は、略一直線上に配置している。
【００４０】
保持枠５７には、覆部材５１及び振動板動作部６０を覆う囲い部６２を設け、保持枠５７上端に振動板２６の可動範囲を規制する規制体６３を形成し、振動板動作部６０の可動範囲を、摺動レバー３７の可動範囲より狭くしている。
【００４１】
振動板２６の、集塵袋１９に振動を加え除塵する除塵部６４を振動板２６の上端に複数個形成し、面当たりするように幅広い面を設けている。また、除塵部６４は集塵袋１９に振動を加える時は、保持枠５７より、外側に突出するところまで動作する。回動レバー３５及び摺動レバー３７の周期的な動作により振動板２６の除塵部６４は、保持枠５７から突出する位置と規制体６３の間を周期的に揺動する。
【００４２】
振動板２６または、保持枠５７には取り外し時に指等を引っ掛けることができる引掛け部６５を格子状にして形成している。
【００４３】
以上のように構成された電気掃除機について、以下その動作、作用を説明する。
【００４４】
電源コード２８の引き出し時、コードリール２９に形成された突起リブ３２も回動し、当接部３６が突起リブ３２に乗り上げると、回動レバー３５が回動して、摺動操作部３８が移動し、摺動操作部３８が摺動レバー３７の係合部４７を押して摺動レバー３７が掃除機本体１後方へ摺動する。摺動した振動伝達部４８と共に覆部材５１の圧入固定部５０も後方へ移動し、振動板２６は振動板動作部６０への覆部材５１の押圧力がなくなる為、振動バネ６１の付勢力により後方へ傾く。
【００４５】
当接部３６が突起リブ３２を乗り越すと衝撃力を持って回動レバー３５が回動し、元の位置に戻るため、摺動レバー３７が、連動する覆部材５１と共に前方に素早く摺動し、振動板２６の振動板動作部６０へ衝突する。すると、振動板２６は、集塵袋１９の方へ衝撃力を持って移動し、集塵袋１９に大きな振動を加えることができるので、集塵袋１９の内部に付着し堆積した塵埃を効率的に除塵でき、吸引風の低下を減少させて集塵性能を向上できる。
【００４６】
以上のように、本実施の形態によれば、操作部４３の近傍に、振動板２６を駆動する回動レバー３５が回動自在に軸支されているので、掃除後、電源コード２８を巻き取るために操作部４３を操作したときに、回動レバー３５がコードリール２９の回転に連動しないようにする構成が、従来のような長いリリースレバーなどの部品を介在させること無く、簡素化され、掃除機本体１の小型化、軽量化を図ることができる。
【００４７】
また、当接部３６がコードリール２９に設けた突起リブ３２に当接する方向に、回動レバー３５を回動付勢する当接バネ４２を設けたので、回動レバー３５の回動動作をコードリール２９の回転動作に確実に連動させて、集塵袋１９の内壁に付着した塵埃を確実に除塵することができる。
【００４８】
また、当接部３６には、ビス等の金属材からなり磨耗を防止する磨耗防止体４１を設けたので、当接部３６の急激な磨耗を防止して、長期に渡って優れた除塵性能を維持することができる。
【００４９】
また、振動板２６を駆動する摺動レバー３７の傾きを規制する傾き防止リブ５３を設けたことにより、回動レバー３５の回動動作に連動する摺動レバー３７の摺動動作が安定し、振動板２６を確実に駆動して、集塵袋１９に振動を加えることができる。
【００５０】
また、隔壁体３３に形成されると共に回動レバー３５が臨む窓部４０を覆うカバー体５４を隔壁体３３に着脱自在としたので、窓部４０からコードリール２９内部への塵埃侵入を防止すると共に、カバー体５４の取り付け、回動レバー３５の動作確認が容易になる。
【００５１】
また、突起リブ３２は、複数個形成されている為、電源コード２８の引き出し時には複数回振動板２６で集塵袋１９に振動を加えることができるので、叩く回数が増し除塵効果の拡大が図れるものとなる。
【００５２】
さらに、摺動レバー３７の係合部４７を、回動レバー３５に形成した摺動操作部３８を前後方向に挟む形状としているので、回動レバー３５の回転動作を水平動作にスムーズに変換でき、摺動操作部３８の動作に対し、スムーズに連動できるので、集塵袋１９の内部に付着し堆積した塵埃を効率的に除塵できる。
【００５３】
また、回動レバー３５はコードリール２９近傍に軸支されていると共に、回動レバー３５に形成した当接部３６と、摺動レバー３７と、振動板２６に形成した振動板動作部６０が、略一直線上に配置しているので、除塵動作を最短距離で伝達することができる。その結果、除塵手段２７をコンパクトに構成でき、掃除機本体を小型化及び軽量化することができる。
【００５４】
コードリール２９に形成されているリブ体３１は、突起リブ３２の両端とつながった形状で形成され、コードリール２９の外周の内側に配設し、回動レバー３５の当接部３６を略円弧状に形成している為、コードリールが回転した時、当接部３６が突起リブ３２に乗り上げられる動作がスムーズとなり、その結果、除塵の際の異音を低減することができる。
【００５５】
電源コード２８の巻き取り時、操作部４３を操作すると、解除リブ４６が回動レバー３５の当接解除部３９を操作し、回動レバー３５が回動する。回動レバー３５の当接部３６が突起リブ３２に対し当接しない位置まで離れた状態に移動した直後に、ブレーキ解除部４４がブレーキレバー３４を操作し、コードリール２９の回転制止を解除して、電源コード２８を巻き取る。その結果、電源コード２８の巻き取り時に余分な負荷や騒音が発生せずスムーズに巻き取ることができ、使い勝手を向上できる。
【００５６】
操作部４３に形成した解除リブ４６を、前記操作部４３の外周の一部に形成しているので、従来の操作部と同じ大きさで形成することができ、機能が追加することによる掃除機本体１の大型化を防止でき、快適な掃除を行うことができる。
【００５７】
また、図１２に示すように、電源コード２８引出し時以外の時に除塵したい時、操作部４３を押し下げると、解除リブ４６が回動レバー３５に形成した当接解除部３９に当接して回動レバー３５が回動し、摺動操作部３８が移動し、摺動操作部３８が摺動レバー３７の係合部４７を押して摺動レバー３７が掃除機本体１後方へ摺動する。摺動した振動伝達部４８と共に覆部材５１の圧入固定部５０も後方へ移動し、振動板２６は、振動板動作部６０への覆部材５１の押圧力がなくなる為、振動板バネ６１の付勢力により後方へ傾く。続けて、操作部４３から手を離すと、操作部バネ４５の弾性力により、解除リブ４６の当接解除部３９への当接が解除され、回動レバー３５が当接バネ４２の弾性力により衝撃力を持って回動し、元の位置に戻るため、摺動レバー３７が連動する覆部材５１と共に前方に素早く摺動し、振動板２６の振動板動作部６０へ衝突する。すると、振動板２６は、集塵袋１９の方へ衝撃力を持って移動し、集塵袋１９に大きな振動を加えることができるので、好きなだけ満足いくまで集塵袋１９を除塵することができ、快適な掃除を行うことができる。
【００５８】
また、圧力差のある電動送風機室２２と集塵室１７とで摺動レバー３７が動作しても、覆部材５１が摺動レバー３７を覆い、かつ外周に凸部形状を形成し、仕切壁２３に保持されているので、仕切壁２３に形成した開口部４９への保持固定が確実にでき、通常使用以外の外力が加わっても外れたり、位置ズレすることがないので、集塵室１７内の気密性を常に確保し、摺動レバー３７の動作を妨げることなくスムーズに振動板に伝えることができる。覆部材５１をゴム等の軟質材で形成し、摺動レバー３７を覆い、かつ摺動レバー３７と圧入固定される圧入固定部５０を設けているので、摺動レバー３７の動作を妨げることなくスムーズに振動板２６に伝えることができ、集塵袋１９の内部に付着し堆積した塵埃を効率的に除塵できる。
【００５９】
振動板２６と当接する覆部材５１の先端部の肉厚を、周辺肉厚より厚く形成しているので、繰り返して摺動レバー３７が動作して、覆部材５１の先端部と振動板２６が当接して、先端部が多少磨耗しても、破れて穴があくことがないので、集塵室１７内の気密性を常に確保することができる。
【００６０】
振動板２６の回動軸５９は、保持枠５７の略中央高さ位置に回動自在に軸支しているので、振動板２６を振動させるのに必要なトルクを軽減でき、電源コード２８の引き出し力が軽くなり操作性を向上できると共に、満杯の集塵袋１９を取り出す時に、振動板２６が動くので、引っ掛りなく取り出すことができる。
【００６１】
保持枠５７には、覆部材５１及び振動板動作部６０を覆う囲い部６２を設けているので、集塵袋１９が塵埃で広がったとしても、振動板動作部６０の動作を妨げることなく振動板２６の振動を確実に集塵袋１９に加えることができる。
【００６２】
振動板動作部６０の可動範囲を、摺動レバー３７の可動範囲より狭くしているので、集塵袋１９がひろがり、振動板２６を後方に押さえても、電源コード２８引出し等により摺動レバー３７は前後方向に摺動する為、振動板２６に振動を加えることができ、集塵袋１９が満杯になるまで、塵埃を吸引することができる。
【００６３】
除塵部６４は面当たりするように幅広い面で複数個形成されおり、保持枠５７から突出する位置と規制体６３の間を周期的に揺動するので、効果的に除塵できる。
【００６４】
振動板２６または、保持枠５７には取り外し時に指等を引っ掛けることができる引掛け部６５を格子状にして形成しているので、取り外しが容易にできる。
【００６５】
保持枠５７は、下ケース９より着脱可能なため、安価な電気掃除機を販売する時等、振動板２６を取り付けていない保持枠５７を取り付け、付け替えるだけで、除塵機構有無でのモデルの差別化が容易にできる。また、回動レバー３５等の除塵手段を取り外すだけで、同様にモデルの差別化が容易にできる。
【００６６】
尚、上記実施の形態では、磨耗防止体４１の先端を、当接部３６の突起リブ３２との当接面と面一にしたが、図１３に示すように、磨耗防止体４１の先端を、当接部３６の突起リブ３２との当接面より少し内側に位置させるようにすれば、初期段階においては、回動レバー３５の当接部３６の突起リブ３２との当接面側が磨耗し、磨耗防止体４１の先端が露出すると、それ以降は、突起リブ３２側が磨耗していくので、磨耗期間が延長され、長期に渡って優れた除塵性能を維持することができる。
【００６７】
また、磨耗防止体４１を、図１４に示すように、当接部３６に回転自在に設けられた回転体４１ａで構成すれば、磨耗防止体４１と突起リブ３２との間の摩擦抵抗が大幅に軽減され、長期に渡って優れた除塵性能を維持することができる。
【産業上の利用可能性】
【００６８】
以上のように、本発明にかかる電気掃除機は、集塵袋の内部に付着し堆積した塵埃を効果的に除塵でき、吸引風の低下を減少して集塵性能を向上させることができると共に、小型化及び軽量化することができるので、家庭、業務用等の電気掃除機に特に有用である。
【図面の簡単な説明】
【００６９】
【図１】本発明の実施の形態１における電気掃除機の全体斜視図
【図２】同電気掃除機の中央断面図
【図３】同電気掃除機の集塵蓋を除いた全体斜視図
【図４】同電気掃除機の部分断面図
【図５】同電気掃除機の除塵手段より隔壁体とカバー体を除いた全体斜視図
【図６】同電気掃除機の除塵手段より隔壁体とカバー体を除いた右側面図
【図７】同電気掃除機の除塵手段の一部を示した部分断面図
【図８】同電気掃除機の操作部周辺部品の斜視図
【図９】同電気掃除機の振動板が最も後方に傾いた状態を示す左側面図
【図１０】同電気掃除機の当接部が突起リブに完全に乗り上げた状態を示す左側面図
【図１１】同電気掃除機の当接部が突起リブを乗り越した状態を示す左側面図
【図１２】同電気掃除機の操作部を押した時の左側面図
【図１３】同電気掃除機の除塵手段の回動レバーの他の例を示す断面図
【図１４】同電気掃除機の除塵手段の回動レバーの他の例を示す断面図
【符号の説明】
【００７０】
１    掃除機本体
１２  電動送風機
１９  集塵袋
２６  振動板
２７  除塵手段
２８  電源コード
２９  コードリール
３１  リブ体
３２  突起リブ
３４  ブレーキレバー
３５  回動レバー
３６  当接部
３７  摺動レバー
３８  摺動操作部
３９  当接解除部
４２  当接バネ（弾性体）
４３  操作部
４７  係合部
【図１】
2008284118.tif 000003
【図２】
2008284118.tif 000004
【図３】
2008284118.tif 000005
【図４】
2008284118.tif 000006
【図５】
2008284118.tif 000007
【図６】
2008284118.tif 000008
【図７】
2008284118.tif 000009
【図８】
2008284118.tif 000010
【図９】
2008284118.tif 000011
【図１０】
2008284118.tif 000012
【図１１】
2008284118.tif 000013
【図１２】
2008284118.tif 000014
【図１３】
2008284118.tif 000015
【図１４】
2008284118.tif 000016